(57)【要約】【課題】ドリンクがこぼれることを防止することが可能なコップ用蓋を提供する。【解決手段】コップ用蓋１０は、コップ２０を覆い、蓋体１１とキャップ３０とを備える。蓋体１１は、外周縁から下に伸びて形成されかつコップ２０に嵌合する嵌合部１２、吸い口、および通気孔１５２を有する。吸い口は、蓋体１１の頂面から上に突出して形成された吸い部１５を有する。吸い部１５は、頂面に開口部を有し、開口部の下方に内径が開口部より小さい通孔１５２を有し、開口部と通孔１５２との間に斜面状の誘導部１５３を有する。キャップ３０は、蓋体１１に着脱可能な方式で吸い口を塞ぐ。これにより、ドリンクがこぼれることを防止することができる。【選択図】図４
2012176800.tif 000002
【特許請求の範囲】
【請求項１】
コップを覆うコップ用蓋であって、
外周縁から下に伸びて形成され前記コップに嵌合する嵌合部、吸い口、および通気孔を有する蓋体と、
前記蓋体に着脱可能な方式で前記吸い口を塞ぐキャップと、
を備えることを特徴とするコップ用蓋。
【請求項２】
前記吸い口は、前記蓋体の頂面から上に突出して形成された吸い部を有し、
前記吸い部は、頂面に開口部を有し、前記開口部の下方に内径が前記開口部より小さい通孔を有し、前記開口部と前記通孔との間に斜面状の誘導部を有することを特徴とする請求項１に記載のコップ用蓋。
【請求項３】
前記吸い部は、前記蓋体の前記外周縁側から上に突出して形成され、
前記開口部は、前記蓋体の前記外周縁側が外側であり、前記外側の反対側が内側であり、
前記誘導部は、前記開口部の内側から下かつ外側に伸びて形成され、
前記通孔は、前記誘導部の底部と前記開口部の外側との間に形成されることを特徴とする請求項２に記載のコップ用蓋。
【請求項４】
前記誘導部は、前記開口部の内径の二分の一を超えるように前記開口部の内側から下かつ外側に伸びて形成されることを特徴とする請求項３に記載のコップ用蓋。
【請求項５】
前記蓋体は、さらに前記キャップが嵌合可能な凹部を有することを特徴とする請求項１に記載のコップ用蓋。
【請求項６】
前記蓋体の前記通気孔は、前記凹部の中に形成されることを特徴とする請求項５に記載のコップ用蓋。
【発明の詳細な説明】
【技術分野】
【０００１】
本発明は、紙コップまたはプラスチックコップなどの使い捨てコップに関し、詳しくはコップ用蓋に関するものである。
【背景技術】
【０００２】
従来の紙コップまたはプラスチックコップなどの使い捨てコップは、蓋の吸い口が開いたままに露出するため、手で取って歩いたり、移動中の車内に置いたりすると、ドリンクがこぼれてしまうことがよくある。また従来のコップ用蓋の吸い口が小さいため、ミルクまたは砂糖などの添加物を添加する際、直接吸い口から添加することができない。予め蓋を開けてミルクまたは砂糖などの添加物を添加した後、再びコップに蓋をする。従って、使用に不便であるだけでなく、ドリンクをこぼしてしまうような問題がよく発生する。
【先行技術文献】
【特許文献】
【０００３】
【特許文献１】特開平１１−２５５２５３号公報
【発明の概要】
【発明が解決しようとする課題】
【０００４】
上記問題を解決するため、本発明は、ドリンクがこぼれることを防止することが可能なコップ用蓋を提供することを主な目的とする。
本発明は、直接吸い口から添加物を添加し、使用の便をはかることが可能なコップ用蓋を提供することをもう一つの目的とする。
【課題を解決するための手段】
【０００５】
上述の目的を達成するために、本発明によるコップ用蓋は、コップを覆い、蓋体とキャップとを備える。蓋体は、外周縁から下に伸びて形成されかつコップに嵌合する嵌合部、吸い口、および通気孔を有する。キャップは、蓋体に着脱可能な方式で吸い口を塞ぐ。
【図面の簡単な説明】
【０００６】
【図１】本発明の一実施形態によるコップ用蓋を示す平面図である。
【図２】本発明の一実施形態によるコップ用蓋を示す側面図である。
【図３】図１中のＡ−Ａ線に沿った断面図である。
【図４】本発明の一実施形態によるコップ用蓋がコップに嵌合した状態を示す断面図である。
【図５】本発明の一実施形態によるコップ用蓋の使用状態を示す模式図である。
【発明を実施するための形態】
【０００７】
以下、本発明によるコップ用蓋を図面に基づいて説明する。
（一実施形態）
図１から図５に示すように、本発明の一実施形態によるコップ用蓋１０は、蓋体１１を備える。蓋体１１は、外周縁から下に伸びて形成された嵌合部１２を有する。嵌合部１２は、図４に示すようにコップ２０に嵌合する。蓋体１１は、さらに吸い口１３および通気孔１４を有する。吸い口１３は、蓋体１１の頂面から上に突出して形成された吸い部１５を有する。吸い部１５は、頂面に開口部１５１を有し、開口部１５１の下方に内径が開口部１５１より小さい通孔１５２を有し、開口部１５１と通孔１５２との間に斜面状の誘導部１５３を有する。
【０００８】
本実施形態において、吸い部１５は、蓋体１１の外周縁側から上に突出して形成される。開口部１５１は、蓋体１１の外周縁側が外側であり、外側の反対側が内側である。誘導部１５３は、開口部１５１の内側から下かつ外側に伸びて形成される。通孔１５２は、誘導部１５３の底部と開口部１５１の外側との間に形成される。誘導部１５３は、開口部１５１の内径の二分の一を超えるように開口部１５１の内側から下かつ外側に伸びて形成される。
【０００９】
本実施形態において、蓋体１１は、さらに凹部１６を有する。凹部１６は、突状リブ１６１、ストッパー１６２、および溝部１６３を有する。通気孔１４は、凹部１６の中に形成される。
図５に示すように、ミルクまたは砂糖などの添加物を吸い口１３の開口部１５１から直接入れることができる。このとき、添加物は、誘導部１５３の誘導によって通孔１５２からコップ２０内に落下する。熱いドリンクを飲むとき、熱いドリンクは、誘導部１５３によって遮断され、通孔１５２からしか流出することができない。そのため、流量を制限し、口のやけどを防止することができるだけでなく、使用上の利便性および安全性を有する。
【００１０】
図４に示すように、本実施形態において、コップ用蓋１０は、さらに蓋体１１に着脱可能な方式で吸い口１３の開口部１５１を塞ぐキャップ３０を備える。そのため、開口部１５１を密封することができる。図５に示すように、キャップ３０を凹部１６に嵌めることができる。
【００１１】
本発明によるコップ用蓋１０は、キャップ３０によって吸い口１３を塞ぐ。これにより、コップを持って歩いたり、コップを車内に置いたりしてもドリンクをこぼしてしまうような問題が発生しない。ドリンクを飲む時には、キャップ３０を凹部１６に嵌める。ドリンクを飲まない時には、吸い口１３にキャップ３０を被せる。従って本発明は非常に便利で使いやすいものである。
【符号の説明】
【００１２】
１０  ：コップ用蓋、
１１  ：蓋体、
１２  ：嵌合部、
１３  ：吸い口、
１４  ：通気孔、
１５  ：吸い部、
１５１：開口部、
１５２：通孔、
１５３：誘導部、
１５４：肩部、
１６  ：凹部、
１６１：突状リブ、
１６２：ストッパー、
１６３：溝部、
２０  ：コップ、
３０  ：キャップ。
【図１】
2012176800.tif 000003
【図２】
2012176800.tif 000004
【図３】
2012176800.tif 000005
【図４】
2012176800.tif 000006
【図５】
2012176800.tif 000007